(57)【要約】【課題】店舗等にて商品展示等のために設置される展示台の、商品陳列のレイアウトに与える影響の抑制と、展示物載せ台に設けた広告表示を有効に機能させることとを実現でき、しかも、簡単に組み立てることができる技術の提供。【解決手段】背板折り線部２１ａによって二つ折り可能に構成された背板部２１と該背板部２１の両端部から延びる一対の側板部２２とからなる筒状体である展示物載せ台２０と、前記背板部２１の背板折り線部２１ａを介して両側の翼板部２１ｂに固定して展示物載せ台２０上に立設されるとともに前記翼板部２１ｂ同士を連結する連結部材として機能する奥側立設パネル３０とを具備する組立式展示用ユニット１０、展示用ユニット組み立てキットの提供。【選択図】図１
2010246764.tif 000002
【特許請求の範囲】
【請求項１】
物品の展示に用いられる組立式展示用ユニットであって、
紙製又はプラスチック製の段ボールシート、あるいは板紙からなり、折り線部によって二つ折り可能に構成された背板部と該背板部の前記折り線部を介して両側の端部である背板部側端部から延びる一対の側板部とからなる筒状体である展示物載せ台と、この展示物載せ台の前記背板部の前記折り線部を介して両側の部分である翼板部にそれぞれ固定されることで前記翼板部同士を連結する連結部材とを具備し、
前記翼板部同士を前記連結部材によって連結して、前記展示物載せ台が、前記一対の側板部間に設けられている折り線部である前端側折り線部、及び各側板部と前記背板部との間に設けられている折り線部である後端側折り線部がそれぞれエッジ部とされた筒状に構成され、設置床上に立設された前記展示物載せ台上に、該展示物載せ台上に設置した台板を介してあるいは直接、前記物品が載置されることを特徴とする組立式展示用ユニット。
【請求項２】
前記背板部は、該背板部に設けられている折り線部である背板折り線部を介して両側に、前記背板折り線部に平行に延在する背板端部折り線部を有し、
前記背板部の前記背板側部折り線部を介して一対の前記背板折り線部とは反対側に位置する部分である一対の背板側端部を、その前記展示物載せ台内側とは反対の外側面が同一平面に位置する状態で、前記連結部材を用いて連結可能とされていることを特徴とする請求項１記載の組立式展示用ユニット。
【請求項３】
前記連結部材は、前記展示物載せ台の前記背板部の前記折り線部を介して両側の前記翼板部にそれぞれ固定されることで前記翼板部同士を連結する細長板状あるいは棒状の連結材部と、この連結材部の両端から延出する一対の支柱部と、この一対の支柱部によって前記展示物載せ台の上方に支持されるパネル部とを具備し、
前記展示物載せ台の前記背板部とその上方の前記パネル部と前記一対の支柱部とによって囲まれる内側に、前記物品を設置可能な物品設置空間が確保されていることを特徴とする請求項１又は２記載の組立式展示用ユニット。
【請求項４】
紙製又はプラスチック製の段ボールシート、あるいは板紙からなり、折り線部によって二つ折り可能に構成された背板部と該背板部の前記折り線部を介して両側の端部である背板部側端部から延びる一対の側板部とからなる筒状体である展示物載せ台と、この展示物載せ台の前記背板部の前記折り線部を介して両側の翼板部にそれぞれ固定して前記翼板部同士を連結するための連結部材とを具備し、
前記背板部の一対の前記翼板部同士を重ね合わせて折り畳んだ前記展示物載せ台と前記連結部材とを包装材あるいは結束部材によってひと纏めにしてなることを特徴とする展示用ユニット組み立てキット。
【発明の詳細な説明】
【技術分野】
【０００１】
本発明は、物品の展示のために前記物品を載置する展示台として用いられる組立式展示用ユニットに係り、特に、紙製又はプラスチック製の段ボールシート、あるいは板紙からなる組立式展示用ユニット、この組立式展示用ユニットを組み立てるための展示用ユニット組み立てキットに関する。
【背景技術】
【０００２】
小売店の店内や店頭等にて物品（商品）の展示のために使用される展示台としては、段ボール（紙製段ボールシート）を用いて構成されたものが多用されている。
このような段ボール製の展示台としては様々な形態のものがあるが、展示する物品（商品。以下、展示物とも言う）の形状や数等に幅広く対応できる形態のものとして、図１４に示すように、床上に立設される四角枠状の展示台本体１１０と、この展示台本体１１０の奥部から上方へ延出するように立設されたパネル部１２０とを具備し、展示台本体１１０の上部開口部を塞ぐように設けられた台板１１１上に展示物を載置して使用する構成のもの（展示台１００）が広く用いられている。前記パネル部１２０には、展示物に係る商品情報等の広告表示が印刷などによって設けられる。
【０００３】
但し、従来、図１４に例示したような展示台１００を用いて展示する展示物は、日用品小物等の比較的小型で軽量のものが多く、例えば、引き出し式のプラスチック製衣装ケース（例えば特許文献１）等の比較的サイズが大きい物品（但し軽量のもの）の展示には殆ど使用されていない。
【先行技術文献】
【特許文献】
【０００４】
【特許文献１】特許第４０３８４６１号公報
【発明の概要】
【発明が解決しようとする課題】
【０００５】
図１４に例示した展示台１００は、上述のように展示物が載置される展示台本体１１０が四角枠状であるため、店舗における商品陳列のレイアウトに影響を与えやすい（あるいは、側面板１１３に設けられた広告表示を有効に活用できない）といった問題があった。
すなわち、上記展示台１００は、パネル部１２０以外に、展示台本体１１０の前面板１１２及び一対の側面板１１３にも広告表示が設けられることが一般的であるが、特に側面板１１３に設けられた広告表示を店舗内の通路を通行する消費者から視認可能とするには、側板部１１３の付近に前記広告表示の視認を妨げる障害物が無いように空きスペースが確保される必要がある。このため、前記側面板１１３の広告表示が有効に活用されるようにするには、展示台本体１１０の設置スペース以外に、側面板１１３の広告表示の視認のための空きスペースが確保される必要があり、商品陳列のレイアウトに影響を与えやすい。また、側面板１１３の広告表示の視認のための空きスペースが確保されなければ、側面板１１３の広告表示を有効に活用できないこととなる。
【０００６】
また、上述の引き出し式のプラスチック製衣装ケース（以下、単に衣装ケースとも言う）は、奥行き方向の寸法（衣類収納用の引き出しを収納する外枠における前記引き出しの前後動方向に一致する方向寸法）が長い外観直方体箱形であることが一般的である。このため、上述の図１４に例示した展示台１００を用いて前記衣装ケースを載せて展示するには、展示台本体１１０上に載せる衣装ケースの載置状態の安定化のために、展示台本体１１０の奥行き寸法（図１４中符号Ｄ）が比較的大きいものを使用する必要があるが、このように奥行き寸法が大きい展示台本体１１０を採用した場合、店舗の通路の消費者から展示台１００のパネル部１２０までの距離がかなり遠くなり、パネル部１２０の広告表示が有効に機能しなくなることが発生しがちとなる。また、既述のように、店舗における商品陳列のレイアウトに影響を与えやすい（あるいは、側面板１１３に設けられた広告表示を有効に活用できない）といった問題も存在することも言うまでも無い。また、店舗の通路側への突出寸法が大きくなるため、通路に充分な広さが確保されていない場合は、通路の消費者が前面板１１２に設けられている広告表示を視認しにくくなり、前面板１１２の広告表示も有効に機能しないケースが発生しがちである。
上述のように、衣装ケース等の比較的サイズが大きい物品について、図１４に例示したような展示台１００を展示に使用することは、展示台に設けた広告表示を有効に機能させるための条件、制約が多いことから、使用例が殆ど無いのが実情であった。
【０００７】
また、この種の展示台は、展示物を展示する現場に解体した状態で搬入して現場にて組み立てて使用することが一般的である。上述の図１４に例示した展示台１００のように、四角枠状の展示台本体１１０を具備する展示台の場合は、４枚の面板（前面板１１２、一対の側面板１１３、背面板１１４）が一列に繋がった一枚の帯板を折り畳んだ状態、あるいは、４枚の面板のうちの３枚が一列に繋がった帯板を折り畳んだものと１枚の面板とに分離した状態、などの形態で現場に搬入して組み立てる。台板１１１、パネル部１２０は、展示台本体１１０の４枚の面板のいずれかに繋がっている場合と、別体になっている場合とがある。そして、展示台本体１１０は現場にて４枚の面板が無端状に繋がった四角枠状に組み立てる。しかしながら、四角枠状の展示台本体１１０は、形状安定化のために、その内側に支持材１３０（図１４参照）を複数設けることが一般的であり、組み立て作業に手間が掛かるといった問題があった。また、衣装ケース等の比較的サイズが大きい展示物の展示のため、サイズが大きい展示台本体１１０を使用するとなると、サイズが大きい支持台１３０を使用することになり、支持材１３０の使用数が増大するケースも多いため、展示台の組み立ての手間は一層増大することとなる。
【０００８】
本発明は、前記課題に鑑みて、店舗における商品陳列のレイアウトに与える影響の抑制と、展示物載せ台（特に側板部）に設けた広告表示を有効に機能させることとを実現でき、しかも、簡単に組み立てることができる組立式展示用ユニット、展示用ユニット組み立てキットの提供を目的としている。
【課題を解決するための手段】
【０００９】
上記課題を解決するために、本発明では以下の構成を提供する。
請求項１に係る発明は、物品の展示に用いられる組立式展示用ユニットであって、物品の展示に用いられる組立式展示用ユニットであって、紙製又はプラスチック製の段ボールシート、あるいは板紙からなり、折り線部によって二つ折り可能に構成された背板部と該背板部の前記折り線部を介して両側の端部である背板部側端部から延びる一対の側板部とからなる筒状体である展示物載せ台と、この展示物載せ台の前記背板部の前記折り線部を介して両側の部分である翼板部にそれぞれ固定されることで前記翼板部同士を連結する連結部材とを具備し、前記翼板部同士を前記連結部材によって連結して、前記展示物載せ台が、前記一対の側板部間に設けられている折り線部である前端側折り線部、及び各側板部と前記背板部との間に設けられている折り線部である後端側折り線部がそれぞれエッジ部とされた筒状に構成され、設置床上に立設された前記展示物載せ台上に、該展示物載せ台上に設置した台板を介してあるいは直接、前記物品が載置されることを特徴とする組立式展示用ユニットを提供する。
請求項２に係る発明は、前記背板部は、該背板部に設けられている折り線部である背板折り線部を介して両側に、前記背板折り線部に平行に延在する背板端部折り線部を有し、前記背板部の前記背板側部折り線部を介して一対の前記背板折り線部とは反対側に位置する部分である一対の背板側端部を、その前記展示物載せ台内側とは反対の外側面が同一平面に位置する状態で、前記連結部材を用いて連結可能とされていることを特徴とする請求項１記載の組立式展示用ユニットを提供する。
請求項３に係る発明は、前記連結部材は、前記展示物載せ台の前記背板部の前記折り線部を介して両側の前記翼板部にそれぞれ固定されることで前記翼板部同士を連結する細長板状あるいは棒状の連結材部と、この連結材部の両端から延出する一対の支柱部と、この一対の支柱部によって前記展示物載せ台の上方に支持されるパネル部とを具備し、前記展示物載せ台の前記背板部とその上方の前記パネル部と前記一対の支柱部とによって囲まれる内側に、前記物品を設置可能な物品設置空間が確保されていることを特徴とする請求項１又は２記載の組立式展示用ユニットを提供する。
請求項４に係る発明は、紙製又はプラスチック製の段ボールシート、あるいは板紙からなり、折り線部によって二つ折り可能に構成された背板部と該背板部の前記折り線部を介して両側の端部である背板部側端部から延びる一対の側板部とからなる筒状体である展示物載せ台と、この展示物載せ台の前記背板部の前記折り線部を介して両側の翼板部にそれぞれ固定して前記翼板部同士を連結するための連結部材とを具備し、前記背板部の一対の前記翼板部同士を重ね合わせて折り畳んだ前記展示物載せ台と前記連結部材とを包装材あるいは結束部材によってひと纏めにしてなることを特徴とする展示用ユニット組み立てキットを提供する。
【発明の効果】
【００１０】
本発明によれば、物品（展示物）が載置される展示物載せ台が、折り線部によって二つ折り可能に構成された背板部と該背板部の前記折り線部を介して両側の端部である背板部側端部から延びる一対の側板部とからなる筒状体であり、展示物載せ台の背板部の翼板部同士を連結部材によって連結することにより、前記展示物載せ台が、一対の側板部間に設けられている折り線部である前端側折り線部、及び各側板部と前記背板部との間に設けられている折り線部である後端側折り線部がそれぞれエッジ部とされた筒状に構成されていることから、前記側板部（側板部の外面）に広告表示が設けられている場合、この側板部の広告表示を消費者が視認するための空きスペースの確保を、店舗における商品陳列のレイアウトに与える影響を抑えつつ実現できる。
【００１１】
例えば、図１４に例示した四角枠状の展示台本体を具備する展示台の場合は、展示台本体の側面板に接する位置に存在する陳列商品は、側面板１１３に設けられている広告表示の消費者からの視認の障害になるため、側面板の広告表示を視認可能にするためには側面板に接する位置に存在する陳列商品を移動あるいは撤去して空きスペースを確保する必要がある。しかしながら、本発明に係る組立式展示用ユニットにあっては、一対の側板部は、開角（図２（ａ）の角度θ）を以て、前端側折り線部から後端側（後端側折り線部の側）に行くにしたがって互いの離隔距離が次第に増大するように配置されている。換言すれば、一対の側板部の互いの離隔距離は、展示物載せ台の後端の後端側折り線部から前端側折り線部の側に行くにしたがって縮小する。このため、仮に、この展示物載せ台の一対の後端側折り線部間の距離が、既述の図１４に例示した四角枠状の展示台本体１１０の一対の側面板１１３間の距離と同じである場合、前端側折り線部に近い側ほど、側板部に設けられている広告表示の視認のための空きスペースの確保が容易であることは明らかである。側板部の視認に必要な空きスペースの確保のための陳列商品の移動距離が図１４に例示した展示台１００の場合に比べて縮小するか、あるいは、陳列商品の移動が不要となる。
上述のように、本発明に係る組立式展示用ユニットにあっては、側板部の広告表示を消費者が視認するための空きスペースの確保に有利であり、また、側板部の広告表示を有効に機能させることを容易に実現できる。
【００１２】
また、本発明に係る組立式展示用ユニットの展示物載せ台は、展示物載せ台の背板部の翼板部同士を連結部材によって連結するだけで、一対の側板部間に設けられている折り線部である前端側折り線部、及び各側板部と前記背板部との間に設けられている折り線部である後端側折り線部がそれぞれエッジ部とされた筒状の状態を簡単に得ることができ、しかも前記連結部材による連結のみによって高い形状安定性を確保できる。すなわち、前記展示物載せ台は、背板部の一対の翼板部を連結部材によって連結することで、展示物載せ台の一対の後端側折り線部間の距離を固定すると、一対の後端側折り線部に対する前端側折り線部の位置も固定されるため、連結部材による連結のみによって高い形状安定性を確保できる。このため、既述の図１４に例示した展示台１１０のように四角枠状の展示台本体１１０を具備するものに比べて、形状安定性の確保のための労力を大幅に軽減することができる。展示物載せ台のサイズが大きくても、短時間で楽に組み立てることができる。
【図面の簡単な説明】
【００１３】
【図１】本発明の第１実施形態の組立式展示用ユニットを示す斜視図である。
【図２】図１の組立式展示用ユニットを示す図であって、（ａ）は平面図、（ｂ）は左側面図、（ｃ）は正面図、（ｄ）は背面図、（ｅ）は下面図である。
【図３】図１の組立式展示用ユニットを示す分解斜視図である。
【図４】図１の組立式展示用ユニットの使用状態の一例を説明する図であって、物品（展示物）として収納ケースを展示物載せ台上に設置した状態を示す斜視図である。
【図５】本発明に係る展示用ユニット組み立てキットを説明する分解斜視図である。
【図６】（ａ）は図１の組立式展示用ユニットの展示物載せ台の折り畳み状態を説明する図、（ｂ）は比較例として四角枠状の展示台本体の折り畳み状態を説明する図である。
【図７】（ａ）は展示物載せ台に対する奥側立設パネルの固定に用いられるリベット部品（樹脂リベット）の一例を示す図、（ｂ）は前記リベット部品を用いて展示物載せ台に奥側立設パネルを固定した組立式展示用ユニットを示す背面図である。
【図８】図１の展示物載せ台の背板部の一対の翼板部を一対の側板部の間に入り込むように若干折り込んで組み立てた組立式展示用ユニットの一例を示す図である。
【図９】本発明の第２実施形態の組立式展示用ユニットを示す分解斜視図である。
【図１０】図９の組立式展示用ユニットの構成を説明する平面図である。
【図１１】本発明に係る展示物載せ台の別態様を示す斜視図である。
【図１２】図１１の組立式展示用ユニットの構成を説明する平面図である。
【図１３】図１１の組立式展示用ユニットの展示物載せ台の位置ずれ防止用突起と収納ケースの底面の凹所との関係を説明する部分拡大透視図である。
【図１４】従来例の展示台を示す斜視図である。
【発明を実施するための形態】
【００１４】
以下、本発明に係る組立式展示用ユニット、展示台組み立て用キットの１実施形態について、図面を参照して説明する。
【００１５】
（第１実施形態）
まず、本発明の第１実施形態を説明する。
図１〜図４に示すように、組立式展示用ユニット１０（以下、単に、展示用ユニットとも言う）は、展示する物品１（以下、展示物とも言う）を載置するための筒状の展示物載せ台２０と、この展示物載せ台２０の背板部２１に固定して背板部２１から上方へ延出するように立設された奥側立設パネル３０とを具備して構成されている。
なお、図１、図２（ｂ）〜（ｄ）、図３、図４において上側を上、下側を下として説明する。また、展示用ユニット１０について、後述する前端側折り線部２３の側を前、後端側折り線部２４の側を後、として説明する。
【００１６】
展示物載せ台２０及び奥側立設パネル３０は、その全体が紙製段ボールシート（いわゆる紙製段ボール）によって形成されている。
なお、本発明に係る展示用ユニット１０の展示物載せ台２０、奥側立設パネル３０としては、プラスチック製の段ボールシートで形成されたものや、板紙で形成されたものも採用可能である。
【００１７】
図１〜図３に示すように、前記展示物載せ台２０は、折り線部２１ａによって二つ折り可能（図５参照）に構成された背板部２１と、該背板部２１の前記折り線部２１ａ（以下、背板折り線部とも言う）を介して両側の端部である背板部側端部から延びる一対の側板部２２とからなる筒状体である。
この展示用ユニット１０は、前記展示物載せ台２０を、その中心軸線が上下方向に延在するようにして、建物の床等の設置床上に立設状態に設置して使用される。
【００１８】
図３に示すように、前記奥側立設パネル３０は、前記展示物載せ台２０の前記背板部２１の前記背板折り線部２１ａを介して両側の前記翼板部２１ｂにそれぞれ固定されて前記翼板部２１ｂ同士を連結する細長板状の連結材部３１と、この連結材部３１の両端から延出する一対の支柱部３２と、この一対の支柱部３２によって前記展示物載せ台２０の上方に支持されるパネル部３３とを具備して構成されている。
【００１９】
そして、この展示用ユニット１０は、図３に示すように、展示物載せ台２０の背板部２１をその一対の翼板部２１ｂが背板折り線部２１ａを介して両側に真っ直ぐに延在する状態（一枚の平板状にした状態）で、この背板部２１の上端部の外面側（背板部２１において筒状の展示物載せ台２０の内側空間とは反対の面）に前記奥側立設パネル３０の連結材部３１を固定手段を用いて固定することで、前記奥側立設パネル３０を展示物載せ台２０に取り付け、背板部２１から上方へ延出するように立設して組み立てられている。
【００２０】
なお、図示例では、展示物載せ台２０の一対の後端側折り線部２４間の距離（幅方向寸法）と略一致する長手方向寸法を有する連結材部３１の両端部と中央部とに設けた両面粘着テープ４１によって連結材部３１を展示物載せ台２０の背板部２１に貼着固定する構成を例示したが、両面粘着テープ４１の設置数はさらに多くしても良い。また、両面粘着テープ４１は展示物載せ台２０の背板部２１に設けても良い。
固定手段としては、図示例では両面粘着テープ４１を使用しているが、これに限定されず、例えば接着剤や、クリップ（図７（ａ）参照）等の機械的固定を実現する固定部品を用いることも可能である。
【００２１】
クリップとしては、例えば図７（ａ）に示すようなプラスチック製のリベット部品４２（いわゆる樹脂リベット）を採用できる。図示例のリベット部品４２は、リング状の頭部４２１ａに複数本の弾性爪４２１ｂを突設した構成の爪リング４２１と、この爪リング４２１の内側に圧入されることで前記爪リング４２１の弾性爪４２１ｂを外側に押し拡げる打ち込みピン４２２とを具備する構成であり、例えば図７（ａ）、（ｂ）に示すように、奥側立設パネル３０の連結材部３１と、展示物載せ台２０の背板部２１の翼板部２１ｂとを連通するように形成した連通孔１４に連結材部３１の後側（連結材部３１を介して翼板部２１ｂとは反対の側）から弾性爪４２１ｂを挿入した爪リング４２１への打ち込みピン４２２の打ち込みによって前記爪リング４２１の弾性爪４２１ｂを外側に押し拡げて弾性爪４２１ｂを翼板部２１ｂに係合させることで、奥側立設パネル３０の連結材部３１と展示物載せ台２０の翼板部２１ｂとを締結固定できる。図７（ｂ）では、連結材部３１の長手方向両端をリベット部品４２を用いて背板部２１の翼板部２１ｂに固定している。
但し、クリップ（樹脂リベット）としては、図７（ａ）に例示した構成のものに限定されず、紙製段ボールシート同士の締結固定に使用される周知のものを適宜選択使用できる。また、クリップ（樹脂リベット）は本発明に係る他の実施形態においても、展示物載せ台の背板部に対する連結部材、奥側立設パネルの固定に利用することが可能である。
【００２２】
図２（ａ）〜（ｅ）に示すように、展示物載せ台２０は、一対の側板部２２間に設けられている折り線部である前端側折り線部２３と、各側板部２２と前記背板部２１との間に設けられている折り線部である後端側折り線部２４とを有している。背板折り線部２１ａ、前端側折り線部２３、後端側折り線部２４は、いずれも、展示物載せ台２０を構成する段ボールシートを局所的に薄肉に形成した部分である。この展示物載せ台２０は、奥側立設パネル３０を取り付けておらず、各折り線部２１ａ、２３、２４が自由に屈曲できる状態では、例えば図５、図６（ａ）に示すように、背板部２１の一対の翼板部２１ｂを一対の側板部２２の間に挟み込むようにして折り込んで折り畳むことが可能である。
【００２３】
なお、展示物載せ台２０において、背板折り線部２１ａ、前端側折り線部２３、後端側折り線部２４は互いに平行に延在するように形成されている。
また、本明細書にて説明する展示物載せ台、奥側立設パネルの折り線部は、すべて、段ボールシートを局所的に薄肉に形成した部分を指す。
【００２４】
図１等に示すように、図示例の展示物載せ台２０は、詳細には、前端側折り線部２３を介して一対の側板部２２が互いに繋がった構成の前板２８の両端（前記前端側折り線部２３を介して両側の端部）に、前記背板部２１を構成する後部板２９の背板折り線部２１ａを介して両側の端部に突設された張出片２９ａをそれぞれ固定した構成になっている。この固定手段としては、展示物載せ台２０の連結材部３１を背板部２１の翼板部２１ｂに固定するための固定手段と同様のものを採用できる。
両側の張出片２９ａはそれぞれ後部板２９の両端に形成された折り線部（後端側折り線部２４）を介して、この一対の折り線部の間に位置する部分である背板部２１（詳細には背板部２１の翼板部２１ｂ）に対して折り曲げ自在になっており、前板２８の前記前端側折り線部２３を介して両側の端部に重ね合わせるようにして固定されている。
前記後端側折り線部２４は具体的には後部板２９に形成されている。
【００２５】
また、本発明に係る展示物載せ台は、上述のように前板２８と後部板２９とによって組み立てられた構成のものに限定されず、例えば、背板部２１と一対の側板部２２とが一列に繋がった構成の一枚の帯板の両端の固定によって無端状に組み立てられたもの、３枚の紙製段ボールシートを互いに接合して無端状に組み立てられたもの等も採用可能である。
【００２６】
図５は、展示用ユニット組み立てキット５０の一例を示す。
この展示用ユニット組み立てキット５０は、前記背板部２１の一対の前記翼板部２１ｂ同士を一対の側板部２２の間にて互いに重ね合わせるようにして折り畳んだ展示物載せ台２０と、奥側立設パネル３０とを、包装箱５１（包装材）に収納してひと纏めにしたものである。折り畳んで板状にした展示物載せ台２０は奥側立設パネル３０と重ね合わせるようにして包装箱５１に収納される。
また、本発明に係る展示用ユニット組み立てキットとしては、これに限定されず、上述のように折り畳んだ展示物載せ台２０と奥側立設パネル３０とを紐等の結束部材によってひと纏めにしたものであっても良い。
なお、図５中、符号４１ａは、奥側立設パネル３０の連結材部３１に貼付された両面粘着テープ４１を覆うように取り付けた易剥離性の剥離紙である。
【００２７】
図６（ｂ）は、比較例として四角枠状の展示台載せ台９０を示す。この展示台載せ台９０の場合、４つの面板９１、９２、９３、９４が無端状に繋がったままの状態では、四角枠状（四角筒状）の状態から折り畳んだときに、隣り合う２枚の面板９１、９２（あるいは面板９３、９４）に相当する面積の板状になる。このため、本発明に係る展示用ユニット１０の展示物載せ台２０（図６（ａ）参照）に比べて折り畳みによるコンパクト化の点で不利である。折り畳んだ状態で包装箱に収納するとすれば、本発明に係る展示用ユニット１０の展示物載せ台２０に比べて大型の包装箱が必要となり、搬送の手間も掛かる。
一方、図６（ａ）に示すように、本発明に係る展示用ユニット１０の展示物載せ台２０は、既述のように、前記背板部２１の一対の前記翼板部２１ｂ同士を一対の側板部２２の間にて互いに重ね合わせるようにして折り畳むことが可能であるから、図６（ｂ）に例示した展示台載せ台９０に比べて折り畳んだときのコンパクト化に有利であり、包装箱５１に収納する場合、包装箱５１が小型のもので済む。
展示物載せ台２０を折り畳んで板状にしたものは、側板部２２の１枚分の面積の板状体となる。
【００２８】
図４は、この展示用ユニット１０の展示物載せ台２０上に、物品１（展示物）として、衣装ケース等として用いられる引き出し式の収納ケースを載置した状態を示す。以下、物品が収納ケースを指す場合は、符号１を用いて収納ケースと称して説明する場合がある。
前記収納ケース１は、四角枠状の外枠２内に衣類を収納するための引き出し３（内ケース部）を引き出し操作（及び引き出した状態からの押し込み操作）可能に収納している構成のものである。前記外枠２は、その奥行き寸法Ｌ（引き出し３の移動方向に沿う方向の寸法。細長板状の天板部２ａの長さ寸法と一致）が幅寸法（天板部２ａの幅方向寸法Ｗと一致）よりも大きい細長形状に形成されている。外枠２の奥行き方向（長手方向）片端には、この外枠２に対して引き出し３を挿脱するための挿脱口２ｂが開口されている。以下、この収納ケース１の外枠２について、その長手方向（奥行き方向）において、挿脱口２ｂの側を前、反対の側を後として説明する。
【００２９】
展示物載せ台２０の前後方向寸法Ｌ１は、収納ケース１の外枠２の奥行き寸法Ｌよりも小さい。収納ケース１は、その外枠２の前端が三角形筒状の展示物載せ台２０の前端部上となるようにして、展示物載せ台２０上に載置されており、その長手方向中央部が、前記展示物載せ台２０の前記背板部２１とその上方の奥側立設パネル３０の前記パネル部３３と前記一対の支柱部３２とによって囲まれる内側に確保された物品設置空間１１に通されている。外枠２の後端部は展示物載せ台２０から後側に突出されている。
なお、展示物載せ台２０の前後方向寸法Ｌ１は、収納ケース１の外枠２の奥行き寸法Ｌの半分よりも大きいため、収納ケース１の重心は展示物載せ台２０上（具体的には筒状の展示物載せ台２０の内側空間上）に位置する。
【００３０】
また、図３等に示すように、収納ケース１は、展示物載せ台２０の一対の後端側折り線部２４の付近にて、背板部２１の背板折り線部２１ａを介して両側の端部上に突設された突部２５の間、及び側板部２２の後端部上にそれぞれ突設された突部２６の間に嵌め込むようにして展示物載せ台２０上に載置されており、これら突部２５、２６によって展示物載せ台２０に対するがたつきが防止されている。
【００３１】
図１に示すように、奥側立設パネル３０においてパネル部３３は、一対の支柱部３２上に支持されたパネル部本体３３ａとこのパネル部本体３３ａの下端から下方に延出して一対の支柱部３２の間に設けられたフラップ部３３ｂとを具備しており、前記物品設置空間１１は、前記フラップ部３３ｂを前記連結材部３１と平行に延在する折り線部３３ｃ（パネル部折り線部）によってパネル部本体３３ａに対して折り曲げて、前記パネル部本体３３ａから前側へ傾斜するように引き出したことにより、収納ケース１の外枠２を通せる大きさで確保されている。
【００３２】
また、フラップ部３３ｂは、収納ケース１を下方に押圧する弾性を確保して折り曲げるか、あるいは収納ケース１に接する部分を粘着テープ等を用いて収納ケース１に取り付けることが好ましい。これにより、フラップ部３３ｂを奥側立設パネル３０の倒れ（特に前側への倒れ）を防止する支持材として機能させることができる。
【００３３】
この展示用ユニット１０の展示物載せ台２０の一対の側板部２２の外面、奥側立設パネル３０のパネル部３３の両面には、展示物（物品１）に関する広告表示（図示略）が設けられている。この展示用ユニット１０は、奥側立設パネル３０よりも後側においても消費者による収納ケース１の観察が容易であり、奥側立設パネル３０のパネル部３３の広告表示（後側の面の広告表示）も有効に機能させることができる。
【００３４】
この展示用ユニット１０によれば、奥側立設パネル３０の連結材部３１及び奥側立設パネル３０全体が、展示物載せ台２０の背板部２１の翼板部２１ｂ同士を連結する連結部材として機能する。奥側立設パネル３０の連結材部３１によって前記背板部２１の翼板部２１ｂ同士を連結することにより、前記展示物載せ台２０が、一対の側板部２２間の前端側折り線部２３、及び各側板部２２と前記背板部２１との間の後端側折り線部２４がそれぞれエッジ部とされた筒状に構成されており、一対の側板部２２は、１８０度未満の開角（図２（ａ）の角度θ。好ましくは４５〜１００度、より好ましくは６０〜８０度）を以て、前端側折り線部２３から後端側（後端側折り線部２４の側）に行くにしたがって互いの離隔距離が次第に増大するように配置されている。換言すれば、一対の側板部２２の互いの離隔距離は、展示物載せ台２０の後側から前側に行くにしたがって縮小する。このため、この展示用ユニット１０にあっては、例えば小売店等の店舗の店頭や店内に設置したときに、側板部２２の広告表示を消費者が視認するための空きスペースの確保を、店舗における商品陳列のレイアウトに与える影響を抑えつつ容易に実現でき、また、側板部２２の広告表示を消費者への提供情報として有効に機能させることができる。
【００３５】
また、この展示用ユニット１０にあっては、展示物載せ台２０の背板部２１の翼板部２１ｂ同士を連結部材（奥側立設パネル３０あるいはその連結材部３１）によって連結するだけで、展示物載せ台２０が、一対の側板部２２間の前端側折り線部２３、及び各側板部２２と前記背板部２１との間の後端側折り線部２４がそれぞれエッジ部とされた筒状の状態を安定に保つことができ、高い形状安定性を確保できる。すなわち、背板折り線部２１ａによって二つ折り可能に構成された背板部２１と該背板部２１の背板折り線部２１ａを介して両側の端部である背板部側端部から延びる一対の側板部２２とからなる筒状体である構成の展示物載せ台２０であれば、背板部２１の一対の翼板部２１ｂを連結部材によって連結することで展示物載せ台２０の一対の後端側折り線部２４間の距離を固定すると、一対の後端側折り線部２４に対する前端側折り線部２３の位置も固定されるため、連結部材による連結のみによって高い形状安定性を確保できる。このため、既述の図１４に例示した展示台１１０のように四角枠状の展示台本体１１０を具備するものに比べて、形状安定性の確保のための労力を大幅に軽減することができ、短時間で楽に組み立てることができる。展示台本体のサイズが大きくても、短時間で楽に組み立てることができる。
【００３６】
また、この展示用ユニット１０にあっては、奥側立設パネル３０のパネル部３３のパネル本体３３ａが、物品設置空間１１に貫通設置した収納ケース１の長手方向中央部上に立設状態に設置された状態となっている。
このため、この展示用ユニット１０を、前側が店舗の通路側、後側が通路から遠い側の向きで店舗に設置したとき、奥側立設パネル３０のパネル部３３のパネル本体３３ａは、図１４に例示した展示台１００のパネル１２０に比べて、通路の消費者からの距離を短縮でき、パネル本体３３ａに設けられている広告表示を、消費者への情報提供、販売促進に有効に機能させることができる。
【００３７】
図３では、前記展示物載せ台２０の背板部２１を一枚の平板状にした状態で、この背板部２１の外面側（背板部２１において筒状の展示物載せ台２０の内側とは反対側の面）に前記奥側立設パネル３０の連結材部３１を固定手段を用いて固定することで展示物載せ台２０を三角形筒状にしているが、この展示用ユニット１０は、図８に示すように、展示物載せ台２０の背板部２１の一対の翼板部２１ｂを一対の側板部２２の間に入り込むように若干折り込んだ状態、すなわち図１の場合に比べて背板折り線部２１ａと前側折り線部２３との間の距離が若干短い状態で、背板部２１の一対の翼板部２１ｂに対して奥側立設パネル３０を固定しても良い。
図８では、両面粘着テープ（図示略）等の固定手段を用いて、展示物載せ台２０に奥側立設パネル３０をスペーサ３６を介して固定した構成を例示している。
【００３８】
このように、展示用ユニット１０は、展示物載せ台２０の背板部２１の翼板部２１ｂを一対の側板部２２の間に入り込むように若干折り込んだ状態で組み立てることで、展示物載せ台２０上に設置する展示物のサイズ（例えば収納ケース１の幅寸法）に対応して、収納ケース１の幅方向寸法に対して展示物載せ台２０の幅方向寸法が無用に広い状態を解消することができる。つまり、展示用ユニット１０の展示物載せ台２０上に載置して展示する物品１（展示物）の寸法に応じて、展示物載せ台２０の幅方向寸法を必要最小限に縮小することができ、その結果、展示用ユニット１０の設置スペースの省スペース化を図ることができる。
【００３９】
図４では、展示物載せ台２０上に直接、展示物１（収納ケース）を設置した構成を例示したが、本発明はこれに限定されず、例えば、展示物載せ台２０上に台板を設置し、この台板上に展示物を設置することも可能である。展示物載せ台２０上に台板を設置した場合は、例えば、小型の発光形広告表示器具や電気製品（例えばドライヤー、小型ファン等の比較的軽量のもの）等の小型、軽量の展示物の設置、展示も可能となる。
なお、図１に示すように、奥側立設パネル３０のフラップ部３３ｂはパネル部３３の一部であり、この展示用ユニット１０は、前記フラップ部３３ｂが一対の支柱部３２の間に位置するときには、展示物載せ台２０の背板部２１及び該背板部２１に重ね合わせるように固定された奥側立設パネル３０の連結材部３１とパネル部３３の下端（フラップ部３３ｂの下端）との間に隙間１１ａが確保されるため、この隙間１１ａを展示物である電気製品の電源コードを引き出すためのコード引き出し口として利用可能である。これにより、電源コード等が展示用ユニット１０前側から見えにくくなり美観確保の点で好適である。
【００４０】
（第２実施形態）
次に、本発明の第２実施形態を説明する。
図９、図１０に示すように、この実施形態の展示用ユニット１０Ａは、既述の展示物載せ台２０の背板部２１の背板折り線部２１ａを介して両側の端部から背板折り線部２１ａ側に若干ずれた位置に背板折り線部２１ａと平行に延在する背板端部折り線部２１ｃを追加した構成の展示物載せ台２０Ａと、第１実施形態と同様の構成の奥側立設パネル３０とを具備し、奥側立設パネル３０の連結材部３１を、展示物載せ台２０Ａの背板部２１の翼板部２１ｂにそれぞれ固定して組み立てたものである。
【００４１】
前記背板折り線部２１ａは、前記背板部２１の一対の後端側折り線部２４間における延在長の中間位置に形成されているが、前記背板端部折り線部２１ｃは、前記背板折り線部２１ａから背板部２１の端部にずれた位置に形成されている。
この実施形態においても、展示物載せ台２０Ａの背板部２１が屈曲されていない平板状の状態として、奥側立設パネル３０を一対の翼板部２１ｂに固定して連結部材として機能させることが可能であるが、この実施形態では、図９、図１０に示すように、展示物載せ台２０の背板部２１の翼板部２１ｂを一対の側板部２２の間に入り込むように若干折り込んだ状態、すなわち図１の場合に比べて背板折り線部２１ａと前側折り線部２３との間の距離が若干短い状態で、背板部２１の背板端部折り線部２１ｃを両側の端部（換言すれば、各翼板部２１ｂの背板端部折り線部２１ｃとは反対側の端部。すなわち後端折り線部２４側の端部。以下、背板幅方向端部とも言う。符号２１ｄ）が同一平面上（背板幅方向端部２１ｄの外面側が同一平面上）に配置された状態にして、各背板幅方向端部２１ｄに奥側立設パネル３０の連結材部３１を両面粘着テープ等を用いて固定することができる。
【００４２】
つまり、この実施形態の展示物載せ台２０Ａは、図９、図１０に例示したように、展示物載せ台２０の背板部２１の翼板部２１ｂを一対の側板部２２の間に入り込むように若干折り込んだ状態にしたときに、背板部２１の背板幅方向端部２１ｄを背板部２１の一対の端部側折り線部２１ｃの間に位置する部分に対して屈曲させることで、一対の背板幅方向端部２１ｄを同一平面上に配置できるため、真っ直ぐに延在する形状の奥側立設パネル３０の連結材部３１を一対の背板幅方向端部２１ｄに固定することができる。一対の背板幅方向端部２１ｄに対する連結材部３１の上下方向の固定位置は適宜選択可能であるが、ここでは一対の背板幅方向端部２１ｄの上端部に固定する構成を例示している。
【００４３】
また、この実施形態においても、展示物載せ台２０Ａ上に載置して展示する展示物１の寸法に応じて、展示物載せ台２０Ａの幅方向寸法を必要最小限に縮小することが可能であるため、展示用ユニット１０Ａの設置スペースの省スペース化を図ることができる。
また、この展示用ユニット１０Ａも、展示物載せ台２０Ａの背板部２１をその一対の翼板部２１ｂが背板折り線部２１ａを介して両側に真っ直ぐに延在する向きとした状態（一枚の平板状にした状態）で前記奥側立設パネル３０の連結材部３１を固定手段を用いて固定して組み立てることも可能であることは言うまでも無い。
また、連結部材を取り付けておらず一対の翼板部２１ｂの互いの相対角度が可変である状態において、一対の側板部２２の間に折り込んだ一対の翼板部２１ｂ同士を重ね合わせるようにして折り畳むことも可能である。
【００４４】
なお、本発明は、上述の実施形態に限定されず、その主旨を逸脱しない範囲で適宜変更可能であることは言うまでもない。
（１）本発明に係る展示用ユニットは、奥側立設パネルの一部又は全部を、背板部２１の一対の翼板部２１ｂ同士を連結して後端側折り線部２３間の距離を固定するための連結部材として機能させる構成に限定されず、パネル部、支柱部を具備していない連結部材を用いて組み立てることも可能である。
すなわち、本発明は、パネル部、支柱部を具備していない展示用ユニットを含む。
（２）本発明に係る展示用ユニット組み立てキットは、本発明に係る展示物載せ台と連結部材（連結部材として機能する奥側立設パネルを含む）とを、包装材あるいは結束部材によってひと纏めにした構成であれば良く、展示物載せ台、連結部材としては、第１実施形態にて説明した展示物載せ台２０、連結部材（奥側立設パネル３０）に限定されず、本発明に係る展示物載せ台、連結部材をいずれも採用可能である。
（３）奥側立設パネルの展示物載せ台の背板部に対する上下方向の固定位置は背板部の上端部であるが、上端部よりも下方にずらしても構わない。また、奥側立設パネルの展示物載せ台に対する固定力の確保の点では、背板部の上端部の他、その下方においても固定することが好ましいことは言うまでも無い。
（４）本発明に係る展示用ユニットの展示物載せ台は、展示用ユニットの設置現場等にて前板２８に後部板２９を固定して無端状に組み立てられるもの、背板部２１と一対の側板部２２とが一列に繋がった構成の一枚の帯板の両端を固定して無端状に組み立てられるもの、３枚の紙製段ボールシートを互いに接合して無端状に組み立てられるもの等も含む。
（５）図１１〜図１３に示すように、展示物載せ台としては、その前端側上部に、収納ケース１の外枠２の前端部の底面に形成されている凹所２ｃに挿入して前記外枠２に係合させるための位置ずれ防止用突起２７を突設した構成のもの（展示物載せ台２０Ｂ）としても良い。図１１〜図１３に例示した展示物載せ台２０Ｂは、第１実施形態の展示用ユニット１０の展示物載せ台２０の前端側に位置ずれ防止用突起２７を突設したものであるが、この構成は第２実施形態に係る展示物載せ台２０Ａについても同様に適用できる。
収納ケース１の外枠２の底面には、その縦横に延在するリブ２ｄが突設されており、この縦横のリブ２ｄによって凹所２ｃが画成されている。そして、展示物載せ台２０Ｂ上に収納ケース１を載置する際に、展示物載せ台２０Ｂの位置ずれ防止用突起２７を前記凹所２ｃに入り込ませることで、収納ケース１の位置ずれを防止できる。収納ケース１の引き出し３の外枠２に対する引き出し操作、引き出した状態からの押し込み操作を行った場合の展示物載せ台２０Ｂに対する収納ケース１の位置ずれを防止できる。
図示例の位置ずれ防止用突起２７は、展示物載せ台２０Ｂの一対の側板部２２の前側端部上にそれぞれ突設されている。但し、この位置ずれ防止用突起の突設位置は、展示物の凹所の位置に応じて適宜変更可能である。また、位置ずれ防止用突起の形状も、展示物の凹所の形状、サイズに応じて適宜変更可能である。
【符号の説明】
【００４５】
１…物品（展示物、収納ケース）、１０、１０Ａ…組立式展示用ユニット、１１…物品設置空間、１１ａ…隙間、２０、２０Ａ、２０Ｂ…展示物載せ台、２１…背板部、２１ａ…背板折り線部、２１ｂ…翼板部、２１ｃ…背板端部折り線部、２１ｄ…背板幅方向端部、２２…側板部、２３…前端側折り線部、２４…後端側折り線部、２５、２６…突部、２７…位置ずれ防止用突起、３０…連結部材、奥側立設パネル、３１…連結材部、３２…支柱部、３３…パネル部、５０…展示用ユニット組み立てキット、５１…包装材（包装箱）。
【図１】
2010246764.tif 000003
【図２】
2010246764.tif 000004
【図３】
2010246764.tif 000005
【図４】
2010246764.tif 000006
【図５】
2010246764.tif 000007
【図６】
2010246764.tif 000008
【図７】
2010246764.tif 000009
【図８】
2010246764.tif 000010
【図９】
2010246764.tif 000011
【図１０】
2010246764.tif 000012
【図１１】
2010246764.tif 000013
【図１２】
2010246764.tif 000014
【図１３】
2010246764.tif 000015
【図１４】
2010246764.tif 000016